(57)【要約】【課題】Ｗｅｂページなどの画像情報を閲覧する際における、ユーザの誤操作によって生じる不具合を防止する。【解決手段】画像処理装置１００の表示制御部１０２は、表示画面１０１を制御してハイパーリンクを含む、表示画面１０１よりも大きなサイズの画像情報をスクロール可能に表示する。判断部１０６は、表示画面１０１にハイパーリンクを示すオブジェクトが表示されているか否かを判断する。そして、表示制御部１０２は、判断部１０６によって判断された結果、ハイパーリンクを示すオブジェクトが表示画面１０１に表示されていない場合に、ハイパーリンクを示さない擬似オブジェクト（以下「サブオブジェクト」という）を表示画面１０１に表示する。さらに、選択部１０３は、表示画面１０１に表示されたサブオブジェクトを選択する。【選択図】図１
2008009577.tif 000002
【特許請求の範囲】
【請求項１】
表示画面と、前記表示画面に表示される画像情報中におけるハイパーリンクのいずれか一つを選択する選択手段と、前記選択手段によって選択されたハイパーリンクを実行する実行手段と、を備え、前記ハイパーリンクを含む、前記表示画面よりも大きなサイズの画像情報をスクロール可能に表示する画像処理装置であって、
前記表示画面を制御して前記画像情報を表示する表示制御手段と、
前記表示画面の表示内容をスクロールさせるスクロール手段と、
前記表示画面に前記ハイパーリンクを示すオブジェクトが表示されているか否かを判断する判断手段と、を備え、
前記表示制御手段は、前記判断手段によって判断された結果、前記オブジェクトが前記表示画面に表示されていない場合に、前記ハイパーリンクを示さない擬似オブジェクト（以下「サブオブジェクト」という）を前記表示画面に表示し、
前記選択手段は、前記サブオブジェクトを選択することを特徴とする画像処理装置。
【請求項２】
前記判断手段は、前記スクロール手段によって前記表示画面の表示内容がスクロールされた場合、スクロール後における前記表示画面に前記ハイパーリンクを示すオブジェクトが表示されているか否かを判断することを特徴とする請求項１に記載の画像処理装置。
【請求項３】
前記サブオブジェクトは、前記スクロール手段によって前記表示画面の表示内容がスクロールされる際のスクロール方向に関する情報（以下「スクロール方向情報」という）を含むことを特徴とする請求項１または２に記載の画像処理装置。
【請求項４】
前記実行手段は、前記選択手段によって選択されたサブオブジェクトを実行し、
前記スクロール手段は、前記実行手段によって前記サブオブジェクトが実行された場合、当該サブオブジェクトに含まれるスクロール方向情報に基づいて、前記表示画面の表示内容をスクロールさせることを特徴とする請求項３に記載の画像処理装置。
【請求項５】
前記サブオブジェクトは、前記表示画面に前記ハイパーリンクを示すオブジェクトが表示されていないことを示す報知情報を含むことを特徴とする請求項１〜４のいずれか一つに記載の画像処理装置。
【請求項６】
前記表示制御手段は、前記実行手段によって前記サブオブジェクトが実行された場合、当該サブオブジェクトに含まれる報知情報に基づいて、前記表示画面に報知情報を表示することを特徴とする請求項５に記載の画像処理装置。
【請求項７】
前記表示制御手段は、前記選択手段によって選択された前記サブオブジェクトを前記表示画面にハイライト表示することを特徴とする請求項１〜６のいずれか一つに記載の画像処理装置。
【請求項８】
前記表示制御手段は、前記実行手段によって前記サブオブジェクトが実行された場合、前記表示画面の輝度を変化させることを特徴とする請求項１〜７のいずれか一つに記載の画像処理装置。
【請求項９】
前記ハイパーリンクを示すオブジェクトおよび前記サブオブジェクトは、画像および文字列の少なくともいずれか一方によって構成されていることを特徴とする請求項１〜８のいずれか一つに記載の画像処理装置。
【請求項１０】
ユーザの操作入力を受け付ける入力手段をさらに備え、
前記実行手段は、前記入力手段によって受け付けられた操作入力に基づいて、前記選択手段によって選択された前記サブオブジェクトを実行することを特徴とする請求項１〜９のいずれか一つに記載の画像処理装置。
【請求項１１】
前記実行手段は、前記入力手段によって受け付けられた操作入力に基づいて、前記選択手段によって選択された前記ハイパーリンクを示すオブジェクトを実行することを特徴とする請求項１０に記載の画像処理装置。
【請求項１２】
前記スクロール手段は、前記入力手段によって受け付けられた操作入力に基づいて、前記表示画面の表示内容をスクロールさせることを特徴とする請求項１〜１１のいずれか一つに記載の画像処理装置。
【請求項１３】
前記入力手段は、装置本体とは別体に設けられ、各種操作ボタンを備えたリモートコントローラであることを特徴とする請求項１０〜１２のいずれか一つに記載の画像処理装置。
【請求項１４】
前記入力手段は、装置本体に設けられた各種操作ボタンであることを特徴とする請求項１０〜１３のいずれか一つに記載の画像処理装置。
【請求項１５】
前記実行手段によって前記サブオブジェクトが実行された場合、前記各種操作ボタンにおける所定のボタンを点灯または点滅させることを特徴とする請求項１３または１４に記載の画像処理装置。
【請求項１６】
前記実行手段によって前記サブオブジェクトが実行された場合、装置本体を振動させることを特徴とする請求項１〜１５のいずれか一つに記載の画像処理装置。
【請求項１７】
表示画面と、前記表示画面に表示される画像情報中におけるハイパーリンクのいずれか一つを選択する選択手段と、前記選択手段によって選択されたハイパーリンクを実行する実行手段と、を備え、前記ハイパーリンクを含む、前記表示画面よりも大きなサイズの画像情報をスクロール可能に表示する画像処理装置であって、
前記表示画面を制御して前記画像情報を表示する表示制御手段と、
前記表示画面の表示内容をスクロールさせるスクロール手段と、
前記表示画面に前記ハイパーリンクを示すオブジェクトが表示されているか否かを判断する判断手段と、
前記判断手段によって判断された結果、前記オブジェクトが前記表示画面に表示されていない場合に、前記実行手段による前記ハイパーリンクを示すオブジェクトの実行を禁止する実行禁止手段と、を備え、
前記表示制御手段は、前記実行禁止手段によって前記実行手段による前記ハイパーリンクを示すオブジェクトの実行が禁止された場合、前記ハイパーリンクを示さない擬似オブジェクト（以下「サブオブジェクト」という）を前記表示画面に表示することを特徴とする画像処理装置。
【請求項１８】
表示画面に表示される画像情報中におけるハイパーリンクのいずれか一つを選択する選択工程と、前記選択工程によって選択されたハイパーリンクを実行する実行工程と、前記表示画面の表示内容をスクロールさせるスクロール工程と、を含み、前記ハイパーリンクを含む、前記表示画面よりも大きなサイズの画像情報をスクロール可能に表示する画像処理方法であって、
前記表示画面を制御して前記画像情報を表示する表示制御工程と、
前記表示画面に前記ハイパーリンクを示すオブジェクトが表示されているか否かを判断する判断工程と、
前記判断工程によって判断された結果、前記オブジェクトが前記表示画面に表示されていない場合に、前記ハイパーリンクを示さない擬似オブジェクト（以下「サブオブジェクト」という）を前記表示画面に表示する第２の表示制御工程と、
前記第２の表示制御工程によって表示された前記サブオブジェクトを選択する選択工程と、
を含むことを特徴とする画像処理方法。
【請求項１９】
表示画面に表示される画像情報中におけるハイパーリンクのいずれか一つを選択する選択工程と、前記選択工程によって選択されたハイパーリンクを実行する実行工程と、前記表示画面の表示内容をスクロールさせるスクロール工程と、を含み、前記ハイパーリンクを含む、前記表示画面よりも大きなサイズの画像情報をスクロール可能に表示する画像処理方法であって、
前記表示画面を制御して前記画像情報を表示する表示制御工程と、
前記表示画面に前記ハイパーリンクを示すオブジェクトが表示されているか否かを判断する判断工程と、
前記判断工程によって判断された結果、前記オブジェクトが前記表示画面に表示されていない場合に、前記ハイパーリンクを示すオブジェクトの実行を禁止する実行禁止工程と、
前記実行禁止工程によって前記ハイパーリンクを示すオブジェクトの実行が禁止された場合、前記ハイパーリンクを示さない擬似オブジェクト（以下「サブオブジェクト」という）を前記表示画面に表示する第２の表示制御工程と、
を含むことを特徴とする画像処理方法。
【請求項２０】
請求項１８または１９に記載の画像処理方法をコンピュータに実行させることを特徴とする画像処理プログラム。
【請求項２１】
請求項２０に記載の画像処理プログラムを記録したことを特徴とするコンピュータに読み取り可能な記録媒体。
【発明の詳細な説明】
【技術分野】
【０００１】
この発明は、画像処理装置、画像処理方法、画像処理プログラムおよびコンピュータに読み取り可能な記録媒体に関する。ただし、この発明の利用は、上述した画像処理装置、画像処理方法、画像処理プログラムおよびコンピュータに読み取り可能な記録媒体には限られない。
【背景技術】
【０００２】
近年、Ｗｅｂブラウザ内蔵のテレビや携帯電話機などの画像処理装置において、ユーザは、インターネットなどの通信ネットワークを利用して、Ｗｅｂページを閲覧することができる。Ｗｅｂページ閲覧時に、Ｗｅｂページ全体のイメージサイズが表示画面の表示サイズを超えてしまう場合などには、一度にＷｅｂページ全体を表示画面に表示することができない。このため、ユーザは、たとえばリモコンのカーソルキーを操作することによって表示画面の表示内容をスクロールさせてＷｅｂページ全体を閲覧する。
【０００３】
ここで、従来の画像処理装置において、Ｗｅｂページを閲覧する際の動作について説明する。図１９は、従来の画像処理装置におけるスクロール動作前後の表示内容の一例を示す説明図である。図１９には、Ｗｅｂページ全体のイメージを示すＷｅｂイメージ１９００が示されている。さらに、図１９には、スクロール動作がおこなわれる前に画像処理装置のディスプレイ１９０１に表示されていた表示内容１９０２およびスクロール動作がおこなわれた後にディスプレイ１９０１に表示された表示内容１９０３が示されている。
【０００４】
また、Ｗｅｂイメージ１９００には、他のＷｅｂページに遷移するためのハイパーリンクを示すフォーカス１９１０，１９２０が埋め込まれている。ユーザは、フォーカス１９１０，１９２０のいずれか一方が選択された状態でリモコン１９３０の決定ボタン１９３１を押下することによって、表示されているＷｅｂページから他のＷｅｂページに遷移させることができる。
【０００５】
さらに、ユーザは、リモコン１９３０のカーソルキー１９３２を操作することによってディスプレイ１９０１に表示されるＷｅｂページの内容をスクロールさせることができる。たとえば、ユーザがカーソルキー１９３２の下向きボタンを押下することによって、ディスプレイ１９０１に表示される内容を表示内容１９０２から表示内容１９０３にスクロールさせることができる（たとえば、下記非特許文献１参照。）。
【０００６】
【非特許文献１】［ｏｎｌｉｎｅ］、［平成１８年５月１日検索］、インターネット＜ｈｔｔｐ：／／ｐｒｏｄｂ．ｍａｔｓｕｓｈｉｔａ．ｃｏ．ｊｐ／ｐｒｏｄｕｃｔ／ｉｎｆｏ．ｄｏ？ｐｇ＝０４＆ｈｂ＝ＴＨ−２６ＬＸ５００＞
【発明の開示】
【発明が解決しようとする課題】
【０００７】
しかしながら、上述した非特許文献１の従来技術の画像処理装置では、Ｗｅｂページをディスプレイ１９０１に表示した際に、選択されているフォーカスが表示されていない場合（たとえば、図１９に示す表示内容１９０３）であっても、必ずいずれかのフォーカス（たとえば、図１９に示すフォーカス１９１０）が選択された状態となっている。このため、選択されたフォーカスがディスプレイに表示されていない状況において、ユーザは、現在選択されているフォーカスが何であるか判断することができない場合があるという問題が一例として挙げられる。
【０００８】
さらに、ユーザが現在選択されているフォーカスが何であるかを認識していない状況において、誤ってリモコンの決定ボタンを押下した場合などに、ユーザが意図しないＷｅｂページに遷移してしまうことがあるという問題が一例として挙げられる。
【０００９】
また、ディスプレイの右端などにスクロールバーを表示させることによって、ディスプレイに表示されたカーソルをスクロールバーに合わせて操作し、表示内容をスクロールすることも考えられるが、通常、テレビや携帯電話機などの画像処理装置には、カーソルをディスプレイ上で自由に動かすためのマウスやタッチパネルなどのインターフェースが設けられていない。このため、表示画面にスクロールバーを表示した場合であっても、カーソルを操作するためのあらたなインターフェースを追加しなければならないという問題が一例として挙げられる。
【課題を解決するための手段】
【００１０】
上述した課題を解決し、目的を達成するため、請求項１の発明にかかる画像処理装置は、表示画面と、前記表示画面に表示される画像情報中におけるハイパーリンクのいずれか一つを選択する選択手段と、前記選択手段によって選択されたハイパーリンクを実行する実行手段と、を備え、前記ハイパーリンクを含む、前記表示画面よりも大きなサイズの画像情報をスクロール可能に表示する画像表示装置であって、前記表示画面を制御して前記画像情報を表示する表示制御手段と、前記表示画面の表示内容をスクロールさせるスクロール手段と、前記表示画面に前記ハイパーリンクを示すオブジェクトが表示されているか否かを判断する判断手段と、を備え、前記表示制御手段は、前記判断手段によって判断された結果、前記オブジェクトが前記表示画面に表示されていない場合に、前記ハイパーリンクを示さない擬似オブジェクト（以下「サブオブジェクト」という）を前記表示画面に表示し、前記選択手段は、前記サブオブジェクトを選択することを特徴とする。
【００１１】
また、請求項１７の発明にかかる画像処理装置は、表示画面と、前記表示画面に表示される画像情報中におけるハイパーリンクのいずれか一つを選択する選択手段と、前記選択手段によって選択されたハイパーリンクを実行する実行手段と、を備え、前記ハイパーリンクを含む、前記表示画面よりも大きなサイズの画像情報をスクロール可能に表示する画像表示装置であって、前記表示画面を制御して前記画像情報を表示する表示制御手段と、前記表示画面の表示内容をスクロールさせるスクロール手段と、前記表示画面に前記ハイパーリンクを示すオブジェクトが表示されているか否かを判断する判断手段と、前記判断手段によって判断された結果、前記オブジェクトが前記表示画面に表示されていない場合に、前記実行手段による前記ハイパーリンクを示すオブジェクトの実行を禁止する実行禁止手段と、を備え、前記表示制御手段は、前記実行禁止手段によって前記実行手段による前記ハイパーリンクを示すオブジェクトの実行が禁止された場合、前記ハイパーリンクを示さない擬似オブジェクト（以下「サブオブジェクト」という）を前記表示画面に表示することを特徴とする。
【００１２】
また、請求項１８の発明にかかる画像処理方法は、表示画面に表示される画像情報中におけるハイパーリンクのいずれか一つを選択する選択工程と、前記選択工程によって選択されたハイパーリンクを実行する実行工程と、前記表示画面の表示内容をスクロールさせるスクロール工程と、を含み、前記ハイパーリンクを含む、前記表示画面よりも大きなサイズの画像情報をスクロール可能に表示する画像表示方法であって、前記表示画面を制御して前記画像情報を表示する表示制御工程と、前記表示画面に前記ハイパーリンクを示すオブジェクトが表示されているか否かを判断する判断工程と、前記判断工程によって判断された結果、前記オブジェクトが前記表示画面に表示されていない場合に、前記ハイパーリンクを示さない擬似オブジェクト（以下「サブオブジェクト」という）を前記表示画面に表示する第２の表示制御工程と、前記第２の表示制御工程によって表示された前記サブオブジェクトを選択する選択工程と、を含むことを特徴とする。
【００１３】
また、請求項１９の発明にかかる画像処理方法は、表示画面に表示される画像情報中におけるハイパーリンクのいずれか一つを選択する選択工程と、前記選択工程によって選択されたハイパーリンクを実行する実行工程と、前記表示画面の表示内容をスクロールさせるスクロール工程と、を含み、前記ハイパーリンクを含む、前記表示画面よりも大きなサイズの画像情報をスクロール可能に表示する画像表示方法であって、前記表示画面を制御して前記画像情報を表示する表示制御工程と、前記表示画面に前記ハイパーリンクを示すオブジェクトが表示されているか否かを判断する判断工程と、前記判断工程によって判断された結果、前記オブジェクトが前記表示画面に表示されていない場合に、前記ハイパーリンクを示すオブジェクトの実行を禁止する実行禁止工程と、前記実行禁止工程によって前記ハイパーリンクを示すオブジェクトの実行が禁止された場合、前記ハイパーリンクを示さない擬似オブジェクト（以下「サブオブジェクト」という）を前記表示画面に表示する第２の表示制御工程と、を含むことを特徴とする。
【００１４】
また、請求項２０の発明にかかる画像処理プログラムは、請求項１８または１９に記載の画像処理方法をコンピュータに実行させることを特徴とする。
【００１５】
また、請求項２１の発明にかかるコンピュータに読み取り可能な記録媒体は、請求項２０に記載の画像処理プログラムを記録したことを特徴とする。
【発明を実施するための最良の形態】
【００１６】
以下に添付図面を参照して、この発明にかかる画像処理装置、画像処理方法、画像処理プログラムおよびコンピュータに読み取り可能な記録媒体の好適な実施の形態を詳細に説明する。
【００１７】
（実施の形態１）
（画像処理装置の機能的構成）
まず、この発明の実施の形態１にかかる画像処理装置の機能的構成について説明する。図１は、この発明の実施の形態１にかかる画像処理装置の機能的構成の一例を示すブロック図である。図１において、画像処理装置１００は、表示画面１０１と、表示制御部１０２と、選択部１０３と、実行部１０４と、スクロール部１０５と、判断部１０６と、入力部１０７と、を備えて構成されている。
【００１８】
画像処理装置１００は、ハイパーリンクを含む、表示画面１０１よりも大きなサイズの画像情報をスクロール可能に表示することができる。具体的には、たとえば画像処理装置１００は、Ｗｅｂブラウザなどを用いてＷｅｂページを表示することができる。ここで、Ｗｅｂブラウザとは、Ｗｅｂページを閲覧するためのアプリケーションソフトであり、インターネットなどのネットワークからＨＴＭＬファイル、画像ファイル、音楽ファイルなどをダウンロードし、ダウンロードしたデータのレイアウトを解析して後述する表示画面１０１に表示することができるアプリケーションソフトである。
【００１９】
また、ハイパーリンクとは、たとえばＷｅｂページ内に埋め込まれた他の文書や画像などの位置情報である。このハイパーリンクを用いて複数の文書や画像などのオブジェクトを関連付ける（リンクさせる）ことができる。なお、他の文書や画像などの位置情報とは、リンク先の文書や画像などの位置情報である。たとえば、ハイパーリンクは、同一のＷｅｂページ内の他の文書や画像などの位置情報であってもよいし、他のＷｅｂページの文書や画像などの位置情報であってもよい。
【００２０】
表示制御部１０２は、表示画面１０１を制御して画像情報を表示する。具体的には、たとえば表示制御部１０２は、表示画面１０１を制御してネットワークを介して取得されたＷｅｂページを表示する。Ｗｅｂページは、インターネット上で公開されている文書のことであり、Ｗｅｂブラウザを用いて表示画面１０１に表示されるデータのまとまりである。また、Ｗｅｂページは、テキストデータ、ＨＴＭＬ（ＨｙｐｅｒＴｅｘｔ  Ｍａｒｋｕｐ  Ｌａｎｇｕａｇｅ）によるレイアウト情報および文書中に埋め込まれた画像や音声などのオブジェクトから構成される。
【００２１】
選択部１０３は、表示画面１０１に表示される画像情報中におけるハイパーリンクのいずれか一つを選択する。ハイパーリンクは、Ｗｅｂページなどの画像情報中に含まれており、選択部１０３によって選択されることによって、関連付けられたリンク先に遷移可能な状態となる。
【００２２】
実行部１０４は、選択部１０３によって選択されたハイパーリンクを実行する。具体的には、たとえばユーザが後述する入力部１０７を操作することによって、選択部１０３によって選択されたハイパーリンクを実行し、表示画面１０１に表示中のＷｅｂページをリンク先の他のＷｅｂページに遷移させることができる。
【００２３】
スクロール部１０５は、表示画面１０１の表示内容をスクロールさせる。Ｗｅｂページなどの画像情報を表示画面１０１に表示する際には、一度にＷｅｂページ全体を表示することができない場合がある。なぜなら、表示画面１０１に一度に表示することができるＷｅｂページの内容は限られており、たとえばＷｅｂページ全体のイメージサイズが表示画面１０１の表示サイズを超えてしまう場合などには、一度にＷｅｂページ全体を表示することができない。この場合、ユーザは、表示画面１０１の表示内容を任意の方向（上下左右方向および各斜め方向）にスクロールさせて、Ｗｅｂページ全体を閲覧することができる。
【００２４】
判断部１０６は、表示画面１０１にハイパーリンクを示すオブジェクトが表示されているか否かを判断する。ここで、ハイパーリンクを示すオブジェクトとは、たとえば画像（静止画や動画などを含む）および文字列の少なくともいずれか一方によって構成されている。具体的には、たとえば判断部１０６は、ハイパーリンクの位置情報およびハイパーリンクを示すオブジェクトの表示サイズなどに基づいて、表示画面１０１にハイパーリンクを示すオブジェクトが表示されているか否かを判断する。
【００２５】
また、スクロール部１０５によって表示画面１０１の表示内容がスクロールされるごとに、表示画面１０１に表示される内容が変化する。このため、判断部１０６は、スクロール部１０５によって表示画面１０１の表示内容がスクロールされた場合、スクロール後における表示画面１０１にハイパーリンクを示すオブジェクトが表示されているか否かを判断するようにしてもよい。
【００２６】
具体的には、たとえば判断部１０６は、スクロール部１０５によって表示画面１０１の表示内容がスクロールされた後に、表示画面１０１にハイパーリンクを示すオブジェクトが表示されているか否かを判断してもよい。また、判断部１０６は、表示画面１０１の表示内容がスクロールされる前に、スクロールされるスクロール量を判断し、スクロール後の表示画面１０１にハイパーリンクを示すオブジェクトが表示されるか否かを判断するようにしてもよい。
【００２７】
また、表示制御部１０２は、判断部１０６によって判断された結果、ハイパーリンクを示すオブジェクトが表示画面１０１に表示されていない場合に、ハイパーリンクを示さない擬似オブジェクト（以下「サブオブジェクト」という）を表示画面１０１に表示する。このとき、選択部１０３は、表示制御部１０２によって表示画面１０１に表示されたサブオブジェクトを選択する。
【００２８】
なお、選択部１０３は、判断部１０６によって判断された結果、スクロール後における表示画面１０１にハイパーリンクを示すオブジェクトが表示されている場合には、当該ハイパーリンクを示すオブジェクトを選択する。このとき、選択部１０３は、スクロール後において、表示画面１０１にハイパーリンクを示すオブジェクトの全体が表示された場合に、当該ハイパーリンクを示すオブジェクトを選択するように構成してもよい。
【００２９】
また、選択部１０３は、スクロール後において、表示画面１０１にハイパーリンクを示すオブジェクトが一部しか表示されていない場合には、スクロール前に選択されていたハイパーリンクを示すオブジェクトまたはサブオブジェクトを選択した状態を維持するように構成してもよい。
【００３０】
そして、実行部１０４は、選択部１０３によって選択されたサブオブジェクトを実行する。具体的には、たとえば選択部１０３によって後述するサブオブジェクトが選択されている場合には、選択されているサブオブジェクトが含む各種情報に基づいて各種処理が実行される。なお、サブオブジェクトに含まれる各種情報に基づいて実行される各種処理については後述する。
【００３１】
サブオブジェクトは、たとえば画像（静止画や動画などを含む）および文字列の少なくともいずれか一方によって構成されており、表示画面１０１にハイパーリンクを示すオブジェクトが表示されていない場合に、ユーザに対して現在選択されているオブジェクトを認識させるために表示される擬似オブジェクトである。
【００３２】
具体的には、たとえばサブオブジェクトは、スクロール部１０５によってスクロール可能な方向を示す矢印アイコンによって表現されていてもよいし、丸形や星形のアイコンなどによって表現されていてもよい。なお、表示画面１０１に表示されるサブオブジェクトに関するデータは、図示しない記憶部に記憶しておき、この記憶部から読み出して表示画面１０１に表示するようにしてもよい。また、図示しない取得部によって外部装置などからサブオブジェクトに関するデータを取得し、表示画面１０１に表示するように構成してもよい。
【００３３】
また、表示画面１０１におけるサブオブジェクトが表示される位置は、ユーザがサブオブジェクトを認識し易い位置であればよく、たとえば表示画面１０１に表示された文書や画像などと重ならない位置であってもよい。具体的には、たとえば表示制御部１０２は、サブオブジェクトを表示画面１０１における右上、右下、左上および左下の少なくともいずれか一カ所に表示するようにしてもよい。
【００３４】
さらに、表示画面１０１の表示内容に基づいて、表示画面１０１におけるサブオブジェクトを表示する位置を特定するように構成してもよい。たとえば、画像処理装置１００に、あらたな構成としてサブオブジェクトを表示する位置を特定するための位置特定部を設け、この図示しない位置特定部が、表示画面１０１に表示されている画像、文字列、色などに基づいて、サブオブジェクトを表示する位置を特定する。
【００３５】
具体的には、たとえば図示しない位置特定部は、Ｗｅｂページ上の白色の部分を、何も記載されていない背景部分であると判断し、その背景部分をサブオブジェクトを表示する位置として特定するようにしてもよい。そして、表示制御部１０２は、表示画面１０１における図示しない位置特定部によって特定された位置にサブオブジェクトを表示する。
【００３６】
さらに、選択されたサブオブジェクトをユーザが直感的に認識することができるように、たとえば表示制御部１０２は、選択部１０３によって選択されたサブオブジェクトを表示画面１０１にハイライト表示するようにしてもよい。ここで、ハイライト表示とは、選択されたサブオブジェクトの色を変える、点滅させる、点灯した枠などで囲うなどして、ユーザが認識し易いようにサブオブジェクトを強調表示することである。なお、表示制御部１０２は、選択部１０３によってハイパーリンクを示すオブジェクトが選択されている場合には、ハイパーリンクを示すオブジェクトを表示画面１０１にハイライト表示するようにしてもよい。
【００３７】
ここで、サブオブジェクトが含む各種情報および各種情報に基づいて実行される各種処理について説明する。サブオブジェクトは、たとえばスクロール部１０５によって表示画面１０１の表示内容がスクロールされる際のスクロール方向に関する情報（以下「スクロール方向情報」という）を含む構成としてもよい。スクロール方向情報とは、スクロール部１０５によって表示画面１０１の表示内容をどの方向にスクロールさせることができるかを示す情報である。
【００３８】
具体的には、たとえば表示画面１０１の表示内容を下方向および左右方向にスクロールさせることができる状況であれば、サブオブジェクトは、スクロール方向情報として下方向および左右方向にスクロール可能であるという情報を含む。このとき、上方向にはスクロールさせることができない状況であるため、サブオブジェクトは、スクロール方向情報として上方向にスクロール可能であるという情報は含まない。
【００３９】
そして、スクロール部１０５は、実行部１０４によってサブオブジェクトが実行された場合、当該サブオブジェクトに含まれるスクロール方向情報に基づいて、表示画面１０１の表示内容をスクロールさせるように構成してもよい。
【００４０】
さらに、サブオブジェクトは、表示画面１０１にハイパーリンクを示すオブジェクトが表示されていないことを示す報知情報を含む構成としてもよい。報知情報は、たとえばユーザに対して、表示画面１０１にハイパーリンクを示すオブジェクトが表示されていないことを報知するための情報であり、文字情報や画像情報であってもよいし、音声情報であってもよい。
【００４１】
そして、表示制御部１０２は、実行部１０４によってサブオブジェクトが実行された場合、当該サブオブジェクトに含まれる報知情報に基づいて、表示画面１０１に報知情報を表示するように構成してもよい。具体的には、たとえば表示制御部１０２は、サブオブジェクトに含まれる報知情報に基づいて、『ハイパーリンクを示すオブジェクトが表示されていません。』などのコメントを表示画面１０１に表示する。
【００４２】
また、表示制御部１０２は、実行部１０４によってサブオブジェクトが実行された場合、ハイパーリンクを示すオブジェクトが表示されていないことを示す報知アイコンを表示画面１０１に点灯表示または点滅表示するようにしてもよい。また、画像処理装置１００は、実行部１０４によってサブオブジェクトが実行された場合、サブオブジェクトに含まれる報知情報に基づいて、報知情報を図示しないスピーカから出力するように構成してもよい。
【００４３】
さらに、表示制御部１０２は、実行部１０４によってサブオブジェクトが実行された場合、表示画面１０１の輝度を変化させて、ハイパーリンクを示すオブジェクトが表示されていないことをユーザに対して報知するようにしてもよい。具体的には、たとえば表示制御部１０２は、実行部１０４によってサブオブジェクトが実行された場合、表示画面１０１の輝度を下げて画面内の明るさを暗くする。
【００４４】
また、サブオブジェクトは、Ｗｅｂページにおけるハイパーリンクを示すオブジェクトの位置を示唆するための報知情報を含む構成としてもよい。たとえば、サブオブジェクトは、現在表示画面１０１に表示されている表示内容から最も近傍のハイパーリンクを示すオブジェクトの位置をユーザに対して報知するための報知情報を含む。具体的には、たとえば表示制御部１０２は、実行部１０４によってサブオブジェクトが実行された場合、『上方向に１回スクロールさせると、ハイパーリンクを示すオブジェクトが表示されます。』などのコメントを表示画面１０１に表示する。
【００４５】
表示画面１０１の表示内容から最も近傍に位置しているハイパーリンクを示すオブジェクトまでの距離は、たとえば表示画面１０１の表示内容およびハイパーリンクを示すオブジェクトのＷｅｂページにおける位置に基づいて算出することができる。
【００４６】
入力部１０７は、ユーザの操作入力を受け付ける。入力部１０７は、たとえば装置本体とは別体に設けられ、各種操作ボタンを備えたリモートコントローラ（以下「リモコン」という）であってもよいし、装置本体に設けられた各種操作ボタンであってもよい。リモコンに備えられた各種ボタンや装置本体に設けられた各種ボタンは、たとえば表示画面１０１の表示内容をスクロールする際に操作されるカーソルキー（上下左右方向）やサブオブジェクトを実行する際に押下される実行ボタンなどである。
【００４７】
そして、実行部１０４は、入力部１０７によって受け付けられた操作入力に基づいて、選択部１０３によって選択されたサブオブジェクトを実行する。また、実行部１０４は、入力部１０７によって受け付けられた操作入力に基づいて、選択部１０３によって選択されたハイパーリンクを示すオブジェクトを実行する。さらに、スクロール部１０５は、入力部１０７によって受け付けられた操作入力に基づいて、表示画面１０１の表示内容をスクロールさせるように構成してもよい。
【００４８】
また、入力部１０７は、実行部１０４によってサブオブジェクトが実行された場合、各種操作ボタンにおける所定のボタンを点灯または点滅させるように構成してもよい。さらに、画像処理装置１００は、実行部１０４によってサブオブジェクトが実行された場合、装置本体を振動させるように構成してもよい。
【００４９】
このように、画像処理装置１００は、ハイパーリンクを示すオブジェクトが表示画面１０１に表示されていない状態で、ユーザの操作入力によってサブオブジェクトが実行された場合に、入力部１０７の各種ボタンを点灯または点滅させたり、装置本体を振動させることによって、ハイパーリンクを示すオブジェクトが表示画面１０１に表示されていないことをユーザに対して報知することができる。
【００５０】
（画像処理装置の処理の内容）
つぎに、この発明の実施の形態１にかかる画像処理装置１００の処理の内容について説明する。図２は、この発明の実施の形態１にかかる画像処理装置の処理の内容を示すフローチャートである。図２のフローチャートにおいて、画像処理装置１００の表示制御部１０２は、表示画面１０１を制御して画像情報を表示する（ステップＳ２０１）。
【００５１】
ここで、判断部１０６は、表示画面１０１にハイパーリンクを示すオブジェクトが表示されているか否か判断する（ステップＳ２０２）。このとき、判断部１０６によって判断された結果、ハイパーリンクを示すオブジェクトが表示画面１０１に表示されていない場合（ステップＳ２０２：Ｎｏ）には、表示制御部１０２は、ハイパーリンクを示さない擬似オブジェクトであるサブオブジェクトを表示画面１０１に表示する（ステップＳ２０３）。
【００５２】
そして、選択部１０３は、表示制御部１０２によって表示画面１０１に表示されたサブオブジェクトを選択し（ステップＳ２０４）、本フローチャートによる一連の処理を終了する。
【００５３】
また、ステップＳ２０２において、判断部１０６によって判断された結果、ハイパーリンクを示すオブジェクトが表示されている場合（ステップＳ２０２：Ｙｅｓ）には、選択部１０３は、表示画面１０１に表示されているハイパーリンクを示すオブジェクトを選択し（ステップＳ２０５）、本フローチャートによる一連の処理を終了する。
【００５４】
以上説明したように、この発明の実施の形態１にかかる画像処理装置１００によれば、Ｗｅｂページなどの画像情報を表示画面１０１に表示した際に、ハイパーリンクを示すオブジェクトが表示されていない場合に、ハイパーリンクを示さない擬似オブジェクトであるサブオブジェクトを表示画面１０１に表示することができる。
【００５５】
さらに、画像処理装置１００は、サブオブジェクトが表示画面１０１に表示された場合に、当該サブオブジェクトを実行対象として選択することができる。これにより、たとえばハイパーリンクを示すオブジェクトが表示画面１０１に表示されていない状態のときに、ユーザが誤ってリモコンの実行ボタンを操作するなどの誤操作をおこなった場合であっても、ユーザの意図しない処理が実行される（たとえば、他のＷｅｂページに遷移してしまう）などの不具合を防ぐことができる。
【００５６】
また、ユーザは、ハイパーリンクを示すオブジェクトが表示画面１０１に表示されていない場合に、表示画面１０１に表示されるサブオブジェクトを視認することによって、現在選択されている実行対象を認識することができる。これにより、ユーザが選択されている実行対象を認識していないにもかかわらず、リモコンの実行ボタンを操作するなどのユーザによる誤操作を防ぐことができる。
【００５７】
また、画像処理装置１００は、サブオブジェクトにスクロール方向情報が含まれている場合、選択されたサブオブジェクトを実行することによって、表示画面１０１の表示内容をスクロールさせることができる。これにより、ユーザは、たとえばリモコンの実行ボタンを押下するなどの簡単な操作入力によって、表示画面１０１の表示内容をスクロールさせることができる。
【００５８】
さらに、画像処理装置１００は、サブオブジェクトに報知情報が含まれている場合、選択されたサブオブジェクトを実行することによって、表示画面１０１にハイパーリンクを示すオブジェクトが表示されていないことを、ユーザに対して報知することができる。
【００５９】
（実施の形態２）
（画像処理装置の機能的構成）
つぎに、この発明の実施の形態２にかかる画像処理装置の機能的構成について説明する。なお、実施の形態２にかかる画像処理装置の構成において、実施の形態１と同様の構成については、上述した説明と同様のため詳細な説明を省略する。図３は、この発明の実施の形態２にかかる画像処理装置の一例を示すブロック図である。図３において、画像処理装置３００は、表示画面３０１と、表示制御部３０２と、選択部３０３と、実行部３０４と、スクロール部３０５と、判断部３０６と、実行禁止部３０７と、入力部３０８と、を備えて構成されている。
【００６０】
画像処理装置３００は、ハイパーリンクを含む、表示画面３０１よりも大きなサイズの画像情報をスクロール可能に表示することができる。表示制御部３０２は、表示画面３０１を制御して画像情報を表示する。また、選択部３０３は、表示画面３０１に表示される画像情報中におけるハイパーリンクのいずれか一つを選択する。
【００６１】
そして、実行部３０４は、選択部３０３によって選択されたハイパーリンクを実行する。スクロール部３０５は、表示画面３０１の表示内容をスクロールさせる。判断部３０６は、表示画面３０１にハイパーリンクを示すオブジェクトが表示されているか否かを判断する。
【００６２】
実行禁止部３０７は、判断部３０６によって判断された結果、ハイパーリンクを示すオブジェクトが表示画面３０１に表示されていない場合に、実行部３０４によるハイパーリンクを示すオブジェクトの実行を禁止にする。
【００６３】
入力部３０８は、ユーザの操作入力を受け付ける。入力部３０８は、たとえば装置本体とは別体に設けられ、各種操作ボタンを備えたリモコンであってもよいし、装置本体に設けられた各種操作ボタンであってもよい。リモコンに備えられた各種ボタンや装置本体に設けられた各種ボタンは、たとえば表示画面３０１の表示内容をスクロールする際に操作されるカーソルキー（上下左右方向）などである。
【００６４】
そして、表示制御部３０２は、実行禁止部３０７によって実行部３０４によるハイパーリンクを示すオブジェクトの実行が禁止された場合、ハイパーリンクを示さない擬似オブジェクト（以下「サブオブジェクト」という）を表示画面３０１に表示する。
【００６５】
（画像処理装置の処理の内容）
つぎに、この実施の形態２にかかる画像処理装置３００の処理の内容について説明する。図４は、この実施の形態２にかかる画像処理装置の処理の内容を示すフローチャートである。図４のフローチャートにおいて、画像処理装置３００の表示制御部３０２は、表示画面３０１を制御して画像情報を表示する（ステップＳ４０１）。
【００６６】
ここで、判断部３０６は、表示画面３０１にハイパーリンクを示すオブジェクトが表示されているか否か判断する（ステップＳ４０２）。このとき、判断部３０６によって判断された結果、ハイパーリンクを示すオブジェクトが表示画面３０１に表示されていない場合（ステップＳ４０２：Ｎｏ）には、実行禁止部３０７は、実行部３０４によるハイパーリンクを示すオブジェクトの実行を禁止する（ステップＳ４０３）。
【００６７】
そして、表示制御部３０４は、実行禁止部３０７によって実行部３０４によるハイパーリンクを示すオブジェクトの実行が禁止された場合、ハイパーリンクを示さない擬似オブジェクトであるサブオブジェクトを表示画面３０１に表示して（ステップＳ４０４）、本フローチャートによる一連の処理を終了する。
【００６８】
また、ステップＳ４０２において、判断部３０２によって判断された結果、ハイパーリンクを示すオブジェクトが表示画面３０１に表示されている場合（ステップＳ４０２：Ｙｅｓ）には、選択部３０３は、表示画面３０１に表示されているハイパーリンクを示すオブジェクトを選択し（ステップＳ４０５）、本フローチャートによる一連の処理を終了する。
【００６９】
以上説明したように、この発明の実施の形態２にかかる画像処理装置３００によれば、Ｗｅｂページなどの画像情報を表示画面３０１に表示した際に、ハイパーリンクを示すオブジェクトが表示されていない場合に、ハイパーリンクを示すオブジェクトの実行を禁止することができる。
【００７０】
これにより、たとえばハイパーリンクを示すオブジェクトが表示画面３０１に表示されていない状態のときに、ユーザが図示しない入力部の実行ボタンを操作するなどの誤操作をおこなった場合であっても、ユーザの意図しない処理が実行される（たとえば、他のＷｅｂページに遷移してしまう）などの不具合を防ぐことができる。
【００７１】
さらに、画像処理装置３００は、ハイパーリンクを示すオブジェクトの実行が禁止された場合に、ハイパーリンクを示さない擬似オブジェクトであるサブオブジェクトを表示画面３０１に表示することができる。このため、ユーザは、表示画面３０１に表示されるサブオブジェクトを視認することによって、ハイパーリンクを示すオブジェクトが表示画面３０１に表示されていないことを認識することができる。
【実施例１】
【００７２】
（映像表示装置のハードウェア構成）
以下に、上述した実施の形態にかかる画像処理装置１００，３００の実施例１について説明する。この実施例１は、上述した画像処理装置１００を、自宅のＷｅｂブラウザ内蔵のテレビなどの据え置き型の映像表示装置５００に適用した例である。
【００７３】
まず、この発明の実施例１にかかる映像表示装置のハードウェア構成について説明する。図５は、この発明の実施例１にかかる映像表示装置のハードウェア構成を示すブロック図である。図５において、映像表示装置５００は、ＣＰＵ５０１と、ＲＯＭ５０２と、ＲＡＭ５０３と、磁気ディスクドライブ５０４と、磁気ディスク５０５と、光ディスクドライブ５０６と、光ディスク５０７と、音声Ｉ／Ｆ（インターフェース）５０８と、スピーカ５０９と、入力デバイス５１０と、映像Ｉ／Ｆ５１１と、ディスプレイ５１２と、通信Ｉ／Ｆ（インターフェース）５１３とを備えている。各構成部５０１〜５１３はバス５１４によってそれぞれ接続されている。
【００７４】
まず、ＣＰＵ５０１は、映像表示装置５００の全体の制御を司る。ＲＯＭ５０２は、ブートプログラムや画像処理プログラムなどのプログラムを記録している。なお、画像処理プログラムについての詳細な説明は後述する。
【００７５】
ＲＡＭ５０３は、ＣＰＵ５０１のワークエリアとして使用される。磁気ディスクドライブ５０４は、ＣＰＵ５０１の制御にしたがって磁気ディスク５０５に対するデータのリード／ライトを制御する。磁気ディスク５０５は、磁気ディスクドライブ５０４の制御で書き込まれたデータを記録する。
【００７６】
具体的には、たとえば磁気ディスクドライブ５０４は、Ｗｅｂブラウザや電子メールソフトなどのアプリケーションソフトを構成するプログラムやデータなどのファイルや後述する仮想フォーカスに関するデータを、磁気ディスク５０５に記録する。磁気ディスク５０５としては、たとえば、ＨＤ（ハードディスク）やＦＤ（フレキシブルディスク）を用いることができる。
【００７７】
ここで、Ｗｅｂブラウザとは、Ｗｅｂページを閲覧するためのアプリケーションソフトであり、後述する通信Ｉ／Ｆ５１３を介してインターネットからＨＴＭＬファイル、画像ファイル、音楽ファイルなどをダウンロードし、ダウンロードしたデータのレイアウトを解析して後述するディスプレイ５１２に表示することができる。
【００７８】
また、Ｗｅｂページには、リンクされた他のＷｅｂページや同一Ｗｅｂページ上の他の文書や画像の位置情報（以下「ハイパーリンク」という）を示すオブジェクト（以下「フォーカス」という）が表示されている。ユーザは、たとえば後述する入力デバイス５１０であるリモコンのカーソルキーを操作することによってＷｅｂページ内のフォーカスを選択し、リモコンの決定ボタンを操作することによって、他のＷｅｂページを閲覧することができる。
【００７９】
光ディスクドライブ５０６は、ＣＰＵ５０１の制御にしたがって光ディスク５０７に対するデータのリード／ライトを制御する。光ディスク５０７は、光ディスクドライブ５０６の制御にしたがって光ディスク５０７からデータが読み出される着脱自在な記録媒体である。なお、上述したＷｅｂブラウザや電子メールソフトなどのアプリケーションソフトや後述する仮想フォーカスに関するデータは、光ディスク５０７に記録されていてもよい。また、この着脱可能な記録媒体として、光ディスク５０７のほか、ＭＯ、メモリカードなどであってもよい。
【００８０】
また、音声Ｉ／Ｆ５０８は、音声出力用のスピーカ５０９に接続される。スピーカ５０９からは音声が出力される。また、入力デバイス５１０は、文字、数値、各種指示などの入力のための複数のキーを備え、装置本体とは別体に設けられたリモコンやキーボード、装置本体に設けられた各種操作ボタンなどが挙げられる。具体的には、後述するディスプレイ５１２に表示されるＷｅｂページの表示内容をスクロールする、Ｗｅｂページ内のフォーカスを選択するおよび決定する際に入力デバイス５１０を操作する。
【００８１】
また、映像Ｉ／Ｆ５１１は、ディスプレイ５１２と接続される。映像Ｉ／Ｆ５１１は、具体的には、たとえば、ディスプレイ５１２全体の制御をおこなうグラフィックコントローラと、即時表示可能な画像情報を一時的に記録するＶＲＡＭ（Ｖｉｄｅｏ  ＲＡＭ）などのバッファメモリと、グラフィックコントローラから出力される画像データに基づいて、ディスプレイ５１２を表示制御する制御ＩＣなどによって構成される。
【００８２】
ディスプレイ５１２には、Ｗｅｂページ、アイコン、カーソル、メニュー、ウインドウ、あるいは文字や画像等の各種データが表示される。このディスプレイ５１２は、たとえば、ＣＲＴ、ＴＦＴ液晶ディスプレイ、プラズマディスプレイなどを採用することができる。
【００８３】
また、通信Ｉ／Ｆ５１３は、無線、あるいは通信ケーブルを介してネットワークに接続され、このネットワークとＣＰＵ５０１とのインターフェースとして機能する。具体的には、たとえばネットワークで接続されたインターネットサーバと、ＣＰＵ５０１とのインターフェースとして機能する。ネットワークには、ＬＡＮ、ＷＡＮ、公衆回線網や携帯電話網などがある。
【００８４】
なお、図１に示した実施の形態１にかかる画像処理装置１００の機能的構成である表示画面１０１は、具体的には、たとえばディスプレイ５１２によって、表示制御部１０２は、たとえばＣＰＵ５０１、磁気ディスク５０５、光ディスク５０７によって、選択部１０３、実行部１０４、判断部１０６は、たとえばＣＰＵ５０１によって、スクロール部１０５は、たとえばＣＰＵ５０１、入力デバイス５１０によって、入力部１０７は、たとえば入力デバイス５１０によって、それぞれその機能を実現する。
【００８５】
また、図３に示した実施の形態２にかかる画像処理装置３００の機能的構成である表示画面３０１は、具体的には、たとえばディスプレイ５１２によって、表示制御部３０２は、たとえばＣＰＵ５０１、磁気ディスク５０５、光ディスク５０７によって、選択部３０３、実行部３０４、判断部３０６、実行禁止部３０７は、たとえばＣＰＵ５０１によって、スクロール部３０５は、たとえばＣＰＵ５０１、入力デバイス５１０によって、それぞれその機能を実現する。
【００８６】
（映像表示装置の動作説明）
つぎに、ディスプレイ５１２に表示された表示内容のスクロール動作をおこなった際の、ディスプレイ５１２に表示される表示内容と選択フォーカスとの関係について説明する。図６は、ディスプレイにＷｅｂページの一部が表示されているときのＷｅｂイメージとディスプレイとの関係を示す説明図である。
【００８７】
図６には、Ｗｅｂページ全体のイメージを示すＷｅｂイメージ６０１とディスプレイ５１２に表示される表示内容６０２とが示されている。Ｗｅｂイメージ６０１には、ハイパーリンクを示す複数のフォーカス６０３が埋め込まれている。また、Ｗｅｂイメージ６０１内の複数のフォーカス６０３は、Ｗｅｂイメージ６０１におけるそれぞれのフォーカスの位置を示す位置情報およびそれぞれのフォーカスのデータ量の大きさを示すデータ量情報などを含んでいる。
【００８８】
ユーザは、リモコン６１０のカーソルキー６１１（上下左右方向）を操作することによって複数のフォーカス６０３から特定のフォーカスを選択することができる。また、ユーザは、カーソルキー６１１を操作することによってディスプレイ５１２の表示内容を上下左右にスクロールすることができる。ここでは、上下へスクロールする場合について説明するが、左右へスクロールする場合も同様である。
【００８９】
さらに、特定のフォーカスを選択した状態でユーザがリモコン６１０の決定ボタン６１２を押下することによって、そのフォーカスのハイパーリンクに基づいて、現在ディスプレイ５１２に表示されているＷｅｂページをリンク先の他のＷｅｂページに遷移させることができる。なお、選択されたフォーカス（以下「選択フォーカス」という）を、ユーザが直感的に認識することができるようにハイライト表示（たとえば、特定の色のハイライト枠６０４でフォーカスを囲う）するようにしてもよい。
【００９０】
つぎに、ディスプレイ５１２の表示内容をスクロールする際の選択フォーカス（ハイライト枠６０４）の移動について説明する。ここで、選択フォーカスの移動とは、ユーザがリモコン６１０のカーソルキー６１１（図６参照、以下同じ）を操作することによって選択するフォーカスを変えることである。すなわち、ハイライト表示されるフォーカスが変わる際におけるハイライト枠６０４の移動を選択フォーカスの移動という。
【００９１】
図７は、スクロール動作がおこなわれた場合のＷｅｂイメージとディスプレイの表示内容との関係を示す説明図である。図７に示すように、ディスプレイ５１２には、ハイライト枠６０４によって囲われたフォーカス７０１（選択フォーカス）およびフォーカス７０２が同時に表示されている。このとき、ユーザがリモコン６１０の下方向のカーソルキー６１１を押下した場合、ハイライト枠６０４がカーソルキー６１１で指示された側に存在するフォーカス７０２（以下「移動先フォーカス」という）に移動する。
【００９２】
これにより、選択フォーカスがフォーカス７０１からフォーカス７０２に移動する（図７中点線矢印）。なお、ディスプレイ５１２に選択フォーカスおよび移動先フォーカスが同時に表示されている場合には、ユーザがリモコン６１０の下方向のカーソルキー６１１を一度押下しても、ディスプレイ５１２の表示内容７１０はスクロールされない。
【００９３】
つぎに、ディスプレイ５１２に選択フォーカスとともに移動先フォーカスの一部が表示されている場合について説明する。図８は、スクロール動作がおこなわれた場合のＷｅｂイメージとディスプレイの表示内容との関係を示す説明図である。図８に示すように、スクロール前のディスプレイ５１２（表示内容８１０）には、ハイライト枠６０４によって囲われたフォーカス８０１（選択フォーカス）およびフォーカス８０２の一部が同時に表示されている。
【００９４】
このとき、ユーザがリモコン６１０の下方向のカーソルキー６１１を押下した場合、ハイライト枠６０４が移動先フォーカスであるフォーカス８０２に移動するとともに、ディスプレイ５１２の表示内容８１０から表示内容８２０にスクロールされる。これにより、選択フォーカスがフォーカス８０１からフォーカス８０２に移動するとともに、スクロール後のディスプレイ５１２（表示内容８２０）に、選択フォーカスとなるフォーカス８０２の全体が表示される。
【００９５】
なお、図７に示す状態においては、ディスプレイ５１２の表示内容７１０はスクロールされないように構成したが、選択フォーカスが移動するとともに、ディスプレイ５１２の表示内容がスクロールされるように構成してもよい。さらに、図８に示す状態において、ユーザがリモコン６１０の下方向のカーソルキー６１１を押下した場合、選択フォーカスは移動するが、ディスプレイ５１２の表示内容８１０はスクロールされないように構成してもよい。
【００９６】
つぎに、ディスプレイ５１２には選択フォーカスのみが表示されており、移動先フォーカスが表示されていない場合について説明する。図９は、スクロール動作がおこなわれた場合のＷｅｂイメージとディスプレイの表示内容との関係を示す説明図である。図９に示すように、スクロール前のディスプレイ５１２（表示内容９１０）には、ハイライト枠６０４で囲われたフォーカス９０１（選択フォーカス）のみが表示され、移動先フォーカスとなるフォーカス９０２は、この時点では表示されていない。
【００９７】
このとき、ユーザがリモコン６１０の下方向のカーソルキー６１１を押下した場合、ディスプレイ５１２の表示内容９１０が下向きにスクロールされる。この場合、スクロール後のディスプレイ５１２（表示内容９２０）に、移動先フォーカスであるフォーカス９０２が表示されるため、ハイライト枠６０４がフォーカス９０２に移動し、選択フォーカスがフォーカス９０１からフォーカス９０２に移動する。
【００９８】
図１０は、スクロール動作がおこなわれた場合のＷｅｂイメージとディスプレイの表示内容との関係を示す説明図である。図１０に示すように、スクロール前のディスプレイ５１２（表示内容１０１０）には、ハイライト枠６０４で囲われたフォーカス１００１（選択フォーカス）のみが表示され、移動先フォーカスとなるフォーカス１００２は、この時点では表示されていない。
【００９９】
このとき、ユーザがリモコン６１０の下方向のカーソルキー６１１を押下した場合、ディスプレイ５１２の表示内容１０１０が下向きにスクロールされる。ここでは、一度スクロールされた際（表示内容１０２０）には、まだディスプレイ５１２には移動先フォーカスとなるフォーカス１００２が表示されない。この場合、映像表示装置５００は、ハイパーリンクを示さない仮想的なフォーカスとして仮想フォーカス１００３をディスプレイ５１２に表示し、自動的に仮想フォーカス１００３を選択フォーカスとして選択する。
【０１００】
すなわち、ディスプレイ５１２に選択されたフォーカスが表示されていない場合（表示内容１０２０）には、ユーザがそのとき選択されているフォーカスが何であるのかが分からなくなる場合があるため、仮想フォーカス１００３を表示する。具体的には、たとえばＣＰＵ５０１の制御にしたがって、磁気ディスクドライブ５０４が磁気ディスク５０５に記録されている仮想フォーカス１００３を読み出し、ディスプレイ５１２に仮想フォーカス１００３を表示する。これにより、ユーザは、現在ディスプレイ５１２に表示されている仮想フォーカス１００３が選択フォーカスとして選択されていることを認識することができる。
【０１０１】
また、仮想フォーカス１００３をディスプレイ５１２に表示する際の表示形状は、たとえば図１０に示すようなスクロール可能な方向を示す矢印アイコンであってもよいし、キャラクターなどの画像（静止画、動画など）、文字列、丸形や星形のアイコンなどであってもよく、ユーザが容易に視認することができる形状であればよい。
【０１０２】
さらに、仮想フォーカス１００３は、たとえばディスプレイ５１２の表示内容１０２０をスクロールさせる際のスクロール方向情報を含む構成としてもよい。この場合、ユーザは、仮想フォーカス１００３が選択された状態で、リモコン６１０の決定ボタン６１２（図６参照、以下同じ）を押下することによって、仮想フォーカス１００３が含むスクロール方向情報に基づいて、ディスプレイ５１２の表示内容１０２０をスクロールさせることができる。
【０１０３】
すなわち、ディスプレイ５１２に仮想フォーカス１００３が表示されている状態（表示内容１０２０）で、ユーザがリモコン６１０の下方向のカーソルキー６１１を押下する、または、仮想フォーカス１００３が選択された状態でリモコン６１０の決定ボタン６１２を押下することによって、ディスプレイ５１２の表示内容１０２０が下向きにスクロールされる。
【０１０４】
なお、リモコン６１０の決定ボタン６１２は、押し続けることによって連続的に操作することもできる。すなわち、ディスプレイ５１２の表示内容を連続してスクロールさせる際には、決定ボタン６１２を連続して押下することなく、押し続けることによって連続してスクロールさせることができる。また、決定ボタン６１２を連続して押し続ける操作をおこなった場合は、つぎに決定ボタン６１２が有効（あらたなフォーカスに対する決定操作）となるのは、ユーザが決定ボタン６１２に対する操作を一度止めたとき、たとえば決定ボタン６１２からユーザの指を離したときである。
【０１０５】
これにより、ユーザが決定ボタン６１２を連続して操作している際に、ハイパーリンクを示すフォーカスがディスプレイ５１２に表示された瞬間に、このハイパーリンクが示すリンク先に遷移してしまうなどの不具合が生じることなく、ユーザは、連続したスクロール操作をおこなうことができる。
【０１０６】
ここでは、スクロール後のディスプレイ５１２（表示内容１０３０）に、移動先フォーカスであるフォーカス１００２が表示されるため、ディスプレイ５１２の表示内容１０２０が表示内容１０３０にスクロールされるとともに、ハイライト枠６０４がフォーカス１００２に移動し、選択フォーカスがフォーカス１００１からフォーカス１００２に移動する。
【０１０７】
なお、スクロール方向（リモコン６１０のカーソルキー６１１で指示した方向）に複数の移動先フォーカスが存在している場合には、現在の選択フォーカスから最も近いフォーカスを移動先フォーカスとし、つぎの選択フォーカスとするようにしてもよい。また、現在の選択フォーカスからの距離がほぼ同様であるフォーカスが複数存在する場合には、たとえばつぎのように選択フォーカスが移動するように構成してもよい。
【０１０８】
図１１は、選択フォーカスが移動する際の状態の一例を示す説明図である。図１１に示すように、ディスプレイ５１２には、選択フォーカスであるハイライト枠６０４で囲われたフォーカス１１０１が表示されている。さらに、ディスプレイ５１２には、選択フォーカス（フォーカス１１０１）に対して右側上下方向に移動先フォーカスとなりえるフォーカス１１０２および１１０３が表示されている。
【０１０９】
このとき、ユーザがリモコン６１０の右方向のカーソルキー６１１を押下した場合、たとえば選択フォーカス（ハイライト枠６０４）は、まず右側上方向に表示されているフォーカス１１０２に移動し、つぎに、ユーザがリモコン６１０の下方向のカーソルキー６１１を押下する、あるいは、もう一度右方向のカーソルキー６１１を押下すると、下方向のフォーカス１１０３に移動するように構成してもよい。
【０１１０】
また、フォーカス１１０１がハイライト枠６０４によって囲われている状態において、ユーザがリモコン６１０の右方向のカーソルキー６１１を押下した場合、まず右側下方向に表示されているフォーカス１１０３に移動し、つぎに、ユーザがリモコン６１０の上方向のカーソルキー６１１を押下する、あるいは、もう一度右方向のカーソルキー６１１を押下すると、上方向のフォーカス１１０２に移動するように構成してもよい。
【０１１１】
ディスプレイ５１２に移動先フォーカスが複数表示されている場合における、選択フォーカスの移動方式は、上述した方式に限られず任意に設計可能である。なお、選択フォーカス（フォーカス１１０１）に対して左側上下方向、上側左右方向および下側左右方向に移動先フォーカスとなりえるフォーカスが複数表示されている場合についても同様の方式で選択フォーカスの移動をおこなうことができる。
【０１１２】
（映像表示装置の画像処理手順）
つぎに、この発明の実施例１にかかる映像表示装置５００の画像処理手順について説明する。図１２および図１３は、この発明の実施例１にかかる映像表示装置の画像処理手順を示すフローチャートである。図１２のフローチャートにおいて、まず、映像表示装置５００は、ディスプレイ５１２にＷｅｂページを表示する（ステップＳ１２０１）。
【０１１３】
具体的には、たとえば映像表示装置５００は、装置本体に内蔵されたＷｅｂブラウザを用いてインターネットサーバにアクセスし、ディスプレイ５１２にユーザが所望するＷｅｂページを表示させる。ここで、ディスプレイ５１２に表示されるＷｅｂページの状態を図１４を用いて説明する。
【０１１４】
図１４は、Ｗｅｂページを表示した際のＷｅｂイメージと表示内容との関係を示す説明図である。図１４には、Ｗｅｂページ全体のイメージを示すＷｅｂイメージ１４０１が示されており、Ｗｅｂイメージ１４０１には、複数のフォーカス（たとえばフォーカス１４０３，１４０４）が埋め込まれている。
【０１１５】
また、ディスプレイ５１２には、Ｗｅｂイメージ１４０１の先頭内容（表示内容１４０２）が表示されており、ハイライト枠６０４によって囲われたフォーカス１４０３（選択フォーカス）およびフォーカス１４０４（移動先フォーカス）が表示されている。
【０１１６】
ユーザは、リモコン６１０のカーソルキー６１１を操作することによってディスプレイ５１２の表示内容をスクロールさせ、Ｗｅｂページ（Ｗｅｂイメージ１４０１）全体を閲覧することができる。また、ディスプレイ５１２に表示される内容がスクロールされる際には、そのときにディスプレイ５１２に表示されている内容に応じて選択フォーカスが移動する。具体的には、たとえば図１４に示す状態において、ユーザが下向きのカーソルキー６１１を押下した場合には、ハイライト枠６０４がフォーカス１４０４に移動し、フォーカス１４０４が選択フォーカスとなる。
【０１１７】
ここで、図１２のフローチャートの説明に戻り、つぎに、映像表示装置５００は、ディスプレイ５１２の表示内容をスクロールする際のスクロール量を設定する（ステップＳ１２０２）。具体的には、たとえばスクロール量は、Ｗｅｂページを構成するドット単位、行単位およびページ単位で設定することができる。これにより、ユーザは、ディスプレイ５１２の表示内容をスクロールする際のスクロール量を、ユーザに合った任意のスクロール量に設定することができる。
【０１１８】
つぎに、リモコン６１０のカーソルキー６１１が押下されたか否かを判断する（ステップＳ１２０３）。ユーザは、リモコン６１０のカーソルキー６１１を操作することによってディスプレイ５１２に表示される表示内容のスクロールおよび選択フォーカスの移動をおこなうことができる。
【０１１９】
ここで、カーソルキー６１１が押下されるのを待って、押下された場合（ステップＳ１２０３：Ｙｅｓ）は、ディスプレイ５１２において、現在選択されているフォーカスに対して、カーソルキー６１１で指示された側に移動先フォーカスが表示されているか否かを判断する（ステップＳ１２０４）。
【０１２０】
たとえば、ステップＳ１２０３において、ユーザがカーソルキー６１１の下向きボタンを押下した場合には、選択フォーカスに対して下側に移動先フォーカスが表示されているか否かを判断する。具体的には、たとえば図１４に示す状態において、ディスプレイ５１２には、現在選択されているフォーカス１４０３に対して下側に移動先フォーカスであるフォーカス１４０４が表示されている。
【０１２１】
そして、ステップＳ１２０４において、移動先フォーカスが表示されている場合（ステップＳ１２０４：Ｙｅｓ）は、ディスプレイ５１２において、現在選択されているフォーカスに対して、カーソルキー６１１で指示された側に移動先フォーカス全体が表示されているか否かを判断する（ステップＳ１２０５）。
【０１２２】
ここで、移動先フォーカス全体が表示されていない場合（ステップＳ１２０５：Ｎｏ）は、つぎに、ステップＳ１２０２において設定されたスクロール量分、ディスプレイ５１２の表示内容をスクロールした際に、Ｗｅｂイメージ領域を超えるか否かを判断する（ステップＳ１２０６）。具体的には、たとえば設定されたスクロール量分、ディスプレイ５１２の表示内容をスクロールした際に、Ｗｅｂイメージの一番上または一番下（上下方向のみスクロールする場合）を越えるか否かを判断する。
【０１２３】
ステップＳ１２０６においてＷｅｂイメージ領域を越えない場合（ステップＳ１２０６：Ｎｏ）は、設定されたスクロール量分、ディスプレイ５１２の表示内容をスクロールする（ステップＳ１２０８）。
【０１２４】
また、ステップＳ１２０６においてＷｅｂイメージ領域を越える場合（ステップＳ１２０６：Ｙｅｓ）は、ディスプレイ５１２の縁部とＷｅｂイメージの縁部とが一致するまで表示内容をスクロールさせる（ステップＳ１２０７）。具体的には、たとえば上方向にスクロールする際に、Ｗｅｂイメージ領域を越えてしまう場合には、ディスプレイ３１２の一番上とＷｅｂイメージの一番上とが一致するように表示内容をスクロールさせる。
【０１２５】
そして、選択フォーカスを移動先フォーカスに移動する（ステップＳ１２０９）。また、ステップＳ１２０５において移動先フォーカス全体が表示されている場合（ステップＳ１２０５：Ｙｅｓ）も、選択フォーカスを移動先フォーカスに移動する（ステップＳ１２０９）。つぎに、Ｗｅｂブラウザが終了したか否かを判断する（ステップＳ１２１０）。Ｗｅｂブラウザの終了は、たとえばユーザの操作入力によっておこなわれる。ここで、Ｗｅｂブラウザが終了していな場合（ステップＳ１２１０：Ｎｏ）は、ステップＳ１２０３に戻り、本フローチャートの一連の処理を繰り返す。      
【０１２６】
また、ステップＳ１２１０において、Ｗｅｂブラウザが終了した場合（ステップＳ１２１０：Ｙｅｓ）は、本フローチャートによる一連の処理を終了するようにしてもよい。また、ステップＳ１２０４において、移動先フォーカスが表示されていない場合（ステップＳ１２０４：Ｎｏ）は、図１３のフローチャートに示すステップＳ１３０１に移行する。
【０１２７】
つぎに、図１３のフローチャートにおいて、まず、設定したスクロール量分、ディスプレイ５１２の表示内容をスクロールした際に、Ｗｅｂイメージ領域を超えるか否かを判断する（ステップＳ１３０１）。ここで、Ｗｅｂイメージ領域を越えない場合（ステップＳ１３０１：Ｎｏ）は、設定されたスクロール量分、ディスプレイ５１２の表示内容をスクロールさせる（ステップＳ１３０２）。
【０１２８】
また、ステップＳ１３０１においてＷｅｂイメージ領域を越える場合（ステップＳ１３０１：Ｙｅｓ）は、ディスプレイ５１２の縁部とＷｅｂイメージの縁部とが一致するまで表示内容をスクロールさせる（ステップＳ１３０３）。
【０１２９】
つぎに、スクロール後のディスプレイ５１２に移動先フォーカスが表示されているか否かを判断する（ステップＳ１３０４）。ここで、移動先フォーカスが表示されている場合（ステップＳ１３０４：Ｙｅｓ）は、選択フォーカスを移動先フォーカスに移動して（ステップＳ１３０５）、図１２のフローチャートに示すステップＳ１２１０に移行する。
【０１３０】
また、ステップＳ１３０４において、移動先フォーカスが表示されていない場合（ステップＳ１３０４：Ｎｏ）は、スクロール前の選択フォーカスがスクロール後のディスプレイ５１２に表示されているか否かを判断する（ステップＳ１３０６）。ここで、スクロール前の選択フォーカスが表示されている場合（ステップＳ１３０６：Ｙｅｓ）は、図１２のフローチャートに示すステップＳ１２１０に移行する。
【０１３１】
ステップＳ１３０６において、スクロール前の選択フォーカスが表示されていない場合（ステップＳ１３０６：Ｎｏ）は、仮想フォーカスをディスプレイ５１２に表示する（ステップＳ１３０７）。ディスプレイ５１２における仮想フォーカスを表示する位置は、任意に設定できるようにしてもよい。
【０１３２】
たとえば、図１０に示すディスプレイ５１２には、右上縁部および右下縁部に、スクロール可能な方向を示す矢印で表された仮想フォーカスが表示されている（表示内容１０２０）。そして、選択フォーカスを仮想フォーカスに移動して（ステップＳ１３０８）、図１２のフローチャートに示すステップＳ１２１０に移行する。
【０１３３】
なお、ステップ１３０７において、ディスプレイ５１２に仮想フォーカスを表示した後に、表示内容をスクロールさせることによって移動先フォーカスがディスプレイ５１２に表示されることとなった場合は、たとえば表示していた仮想フォーカスをディスプレイ５１２から消してもよいし、選択フォーカスとして選択されていた状態のときよりも仮想フォーカスを薄く表示するなど、表示状態を変化させるように構成してもよい。
【０１３４】
以上説明したように、この発明の実施例１にかかる映像表示装置５００によれば、Ｗｅｂページをディスプレイ５１２に表示した際に、ディスプレイ５１２にハイパーリンクを示すフォーカスが表示されていない場合、ハイパーリンクを示さない仮想フォーカスをディスプレイ５１２に表示することができる。
【０１３５】
さらに、映像表示装置５００は、仮想フォーカスがディスプレイ５１２に表示された場合に、当該仮想フォーカスを選択フォーカスとして自動的に選択することができる。これにより、たとえばハイパーリンクを示すフォーカスがディスプレイ５１２に表示されていない状態のときに、ユーザが誤ってリモコン６１０の決定ボタン６１２を操作するなどの誤操作をおこなった場合であっても、ユーザの意図しないＷｅｂページに遷移してしまうなどの不具合を防ぐことができる。
【０１３６】
また、ユーザは、ディスプレイ５１２に表示された仮想フォーカスを視認することによって、現在の選択フォーカスを認識することができる。これにより、ユーザが選択されているオブジェクトが何であるか認識していないにもかかわらず、リモコン６１０の決定ボタン６１２を操作するなどのユーザによる誤操作を防ぐことができる。
【０１３７】
さらに、仮想フォーカスが選択されている状態において、ユーザがリモコン６１０の決定ボタン６１２を押下した場合には、仮想フォーカスに含まれるスクロール方向情報に基づいて、ディスプレイ５１２の表示内容がスクロールされる。これにより、ユーザは、リモコン６１０の決定ボタン６１２を押下するなどの簡単な操作入力によって、ディスプレイ５１２の表示内容をスクロールさせることができ、Ｗｅｂページ閲覧時におけるユーザの操作性の向上を図ることができる。
【実施例２】
【０１３８】
つぎに、上述した実施の形態にかかる画像処理装置１００，３００の実施例２について説明する。この実施例２は、上述した画像処理装置１００を、携帯型電話機などの可搬型の映像表示装置に適用した例である。なお、実施例２にかかる映像表示装置１５００のハードウェア構成（図１５参照）については、上述した実施例１とほぼ同様であるため、その説明を省略する。ここでは、映像表示装置１５００の処理の内容、特に仮想フォーカスがディスプレイ５１２に表示されている際に、ユーザが操作入力をおこなった場合の処理の内容について説明する。
【０１３９】
図１６は、この発明の実施例２にかかる映像表示装置の外観の一例を示す説明図である。図１６に示すように、映像表示装置１５００は、ディスプレイ５１２および装置本体と一体的に設けられた各種操作ボタン（たとえば、カーソルボタン１６０２、決定ボタン１６０３）を備えている。ディスプレイ５１２には、ネットワークを介して取得されたＷｅｂページ１６１０が表示されている。
【０１４０】
ここでは、ディスプレイ５１２にハイパーリンクを示すフォーカスが表示されていないため、ハイパーリンクを示さない仮想フォーカス１６０４が表示されている。仮想フォーカス１６０４には、各種情報を含ませることができ、映像表示装置１５００は、仮想フォーカス１６０４に含まれる各種情報に基づいて、各種処理を実行することができる。
【０１４１】
たとえば、仮想フォーカス１６０４に、ディスプレイ５１２にハイパーリンクを示すフォーカスが表示されていないことを示す報知情報を含ませるようにしてもよい。ここで、仮想フォーカス１６０４に含まれる報知情報に基づいて、実行される各種処理（ユーザに対して報知する処理）について説明する。
【０１４２】
図１７は、ハイパーリンクを示すフォーカスがディスプレイに表示されていないことを報知するときの一例を示す概要図である。図１７に示すように、仮想フォーカス１６０４が選択された状態（操作前）において、ユーザは、カーソルボタン１６０２を操作することによってディスプレイ５１２の表示内容をスクロールさせることができる。
【０１４３】
このとき、たとえばユーザが誤って決定ボタン１６０３を押下した場合（操作後）、ディスプレイ５１２に表示されている仮想フォーカス１６０４が点灯表示されるとともに、映像表示装置１５００の本体が振動する。そして、ユーザが装置本体の振動および仮想フォーカス１６０４の点灯表示を確認することによって、ユーザは、ハイパーリンクを含むフォーカスがディスプレイ５１２に表示されていないにもかかわらず、決定ボタン１６０３を押下（各種処理を実行するための操作）したことを認識することができる。
【０１４４】
なお、上述した装置本体の振動および仮想フォーカス１６０４の点灯表示に加えて、警告コメントをポップアップ表示させるようにしてもよい。たとえば、『ハイパーリンクを示すフォーカスが表示されていません。』などの警告コメントをディスプレイ５１２に表示して、ユーザに報知するように構成してもよい。
【０１４５】
また、他の一例としてつぎのような処理をおこなうように構成してもよい。図１８は、ハイパーリンクを示すフォーカスがディスプレイに表示されていないことを報知するときの他の一例を示す概要図である。図１８に示す仮想フォーカス１６０４が選択された状態（操作前）において、たとえばユーザが誤って決定ボタン１６０３を押下した場合（操作後）、装置本体と一体的に設けられた各種操作ボタンの所定ボタン１８０１を点灯または点滅させる。さらに、ディスプレイ５１２にＷｅｂページを表示する際の輝度を変化させて、明るさを暗くする（表示内容１８１０）。
【０１４６】
これにより、ユーザは、誤操作をおこなった際に、輝度が変化したディスプレイ５１２および点灯または点滅している所定ボタン１８０１を視認することによって、ハイパーリンクを示すフォーカスがディスプレイ５１２に表示されていないにもかかわらず、決定ボタン１６０３を押下（各種処理を実行するための操作）したことを認識することができる。
【０１４７】
以上説明したように、この発明の実施例２にかかる映像表示装置１５００によれば、Ｗｅｂページをディスプレイ５１２に表示した際に、ディスプレイ５１２にハイパーリンクを示すフォーカスが表示されていない場合、ハイパーリンクを示さない仮想フォーカスをディスプレイ５１２に表示することができる。
【０１４８】
さらに、映像表示装置１５００は、仮想フォーカスがディスプレイ５１２に表示された場合に、当該仮想フォーカスを選択フォーカスとして自動的に選択することができる。これにより、ユーザは、ディスプレイ５１２に表示された仮想フォーカスを視認することによって、現在の選択フォーカスを認識することができる。
【０１４９】
さらに、映像表示装置１５００は、たとえばハイパーリンクを示すフォーカスがディスプレイ５１２に表示されていない状態のときに、ユーザが誤って決定ボタン１６０３を押下する誤操作をおこなった場合、誤操作をおこなった旨をユーザに対して報知することができる。ユーザは、報知情報を確認することによって、ハイパーリンクを示すフォーカスがディスプレイ５１２に表示されていないにもかかわらず、決定ボタン１６０３を押下（各種処理を実行するための操作）するなどの誤操作をおこなったことを認識することができる。
【０１５０】
なお、この発明の実施の形態で説明した画像処理方法は、あらかじめ用意されたプログラムをパーソナル・コンピュータやワークステーションなどのコンピュータで実行することにより実現することができる。このプログラムは、ハードディスク、フレキシブルディスク、ＣＤ−ＲＯＭ、ＭＯ、ＤＶＤなどのコンピュータで読み取り可能な記録媒体に記録され、コンピュータによって記録媒体から読み出されることによって実行される。またこのプログラムは、インターネットなどのネットワークを介して配布することが可能な伝送媒体であってもよい。
【図面の簡単な説明】
【０１５１】
【図１】この発明の実施の形態１にかかる画像処理装置の機能的構成の一例を示すブロック図である。
【図２】この発明の実施の形態１にかかる画像処理装置の処理の内容を示すフローチャートである。
【図３】この発明の実施の形態２にかかる画像処理装置の一例を示すブロック図である。
【図４】この実施の形態２にかかる画像処理装置の処理の内容を示すフローチャートである。
【図５】この発明の実施例１にかかる映像表示装置のハードウェア構成を示すブロック図である。
【図６】ディスプレイにＷｅｂページの一部が表示されているときのＷｅｂイメージとディスプレイとの関係を示す説明図である。
【図７】スクロール動作がおこなわれた場合のＷｅｂイメージとディスプレイの表示内容との関係を示す説明図である。
【図８】スクロール動作がおこなわれた場合のＷｅｂイメージとディスプレイの表示内容との関係を示す説明図である。
【図９】スクロール動作がおこなわれた場合のＷｅｂイメージとディスプレイの表示内容との関係を示す説明図である。
【図１０】スクロール動作がおこなわれた場合のＷｅｂイメージとディスプレイの表示内容との関係を示す説明図である。
【図１１】選択フォーカスが移動する際の状態の一例を示す説明図である。
【図１２】この発明の実施例１にかかる映像表示装置の画像処理手順を示すフローチャートである。
【図１３】この発明の実施例１にかかる映像表示装置の画像処理手順を示すフローチャートである。
【図１４】Ｗｅｂページを表示した際のＷｅｂイメージと表示内容との関係を示す説明図である。
【図１５】この発明の実施例２にかかる映像表示装置のハードウェア構成を示すブロック図である。
【図１６】この発明の実施例２にかかる映像表示装置の外観の一例を示す説明図である。
【図１７】ハイパーリンクを示すフォーカスがディスプレイに表示されていないことを報知するときの一例を示す概要図である。
【図１８】ハイパーリンクを示すフォーカスがディスプレイに表示されていないことを報知するときの他の一例を示す概要図である。
【図１９】従来の画像処理装置におけるスクロール動作前後の表示内容の一例を示す説明図である。
【符号の説明】
【０１５２】
１００，３００  画像処理装置
１０１，３０１  表示画面
１０２，３０２  表示制御部
１０３，３０３  選択部
１０４，３０４  実行部
１０５，３０５  スクロール部
１０６，３０６  判断部
１０７，３０８  入力部
３０７  実行禁止部
５００，１５００  映像表示装置
６０１  Ｗｅｂイメージ
６０４  ハイライト枠
６１０  リモコン
６１１  カーソルキー
６１２  決定ボタン
１６０２  カーソルボタン
１６０３  決定ボタン
【図１】
2008009577.tif 000003
【図２】
2008009577.tif 000004
【図３】
2008009577.tif 000005
【図４】
2008009577.tif 000006
【図５】
2008009577.tif 000007
【図６】
2008009577.tif 000008
【図７】
2008009577.tif 000009
【図８】
2008009577.tif 000010
【図９】
2008009577.tif 000011
【図１０】
2008009577.tif 000012
【図１１】
2008009577.tif 000013
【図１２】
2008009577.tif 000014
【図１３】
2008009577.tif 000015
【図１４】
2008009577.tif 000016
【図１５】
2008009577.tif 000017
【図１６】
2008009577.tif 000018
【図１７】
2008009577.tif 000019
【図１８】
2008009577.tif 000020
【図１９】
2008009577.tif 000021